(57)【要約】【課題】取付け取外しの作業性がよく、部品点数及び組立て工数を少なくすることができ、組付けあるいは取外し時の専用治工具も不要な支軸を提供する。【解決手段】少なくとも２つの部品のそれぞれに設けられた孔を貫通して設けられ、それらのうちの少なくとも一つの部品を回動自在に支持する支軸であって、該支軸は一端にフランジ部、他端に軸と直角方向に伸縮するラッチ部を有しており、このラッチ部を前記孔の一方から差し込んで他方の孔から突き出したときに前記ラッチ部の径が前記孔の径より大となり前記フランジ部とラッチ部の間に少なくとも一つの部品を回動自在に係止する構成とした。【選択図】　　　図１
2004060711.tif 000002
【特許請求の範囲】
【請求項１】
少なくとも２つの部品のそれぞれに設けられた孔を貫通して設けられ、それらのうちの少なくとも一つの部品を回動自在に支持する支軸であって、
該支軸は一端にフランジ部、他端に軸と直角方向に伸縮するラッチ部を有しており、このラッチ部を前記孔の一方から差し込んで他方の孔から突き出したときに前記ラッチ部の径が前記孔の径より大となり前記フランジ部とラッチ部の間に少なくとも一つの部品を回動自在に係止する構成としたことを特徴とする支軸。
【請求項２】
前記ラッチ部は楕円状の弾性部材で構成され、短径側は前記主孔の直径よりも小さく長径側は前記孔の径よりも大きく形成されると共にすり割り溝が設けられたことを特徴とする請求項１記載の支軸。
【請求項３】
支軸はプラスチック部材で構成され、フランジ部とラッチ部の間を金属パイプで被覆したことを特徴とする請求項１記載の支軸。
【発明の詳細な説明】
【０００１】
【発明の属する技術分野】
本発明は、部品の一端を係止して回動自在とするための支軸に係り、部品点数と組立て工数の削減および専用治具の不要化を図った支軸に関する。
【０００２】
【従来の技術】
図５（ａ）は従来の支軸により回動自在に支持された表示器や操作キーボードを有する記録計の組立例を示す構成斜視図である。
図において、１はシャーシであり、上板２、左側板３、右側板４、ベース５などにより構成されている。６は表示器、７はこの表示器６の下側に取付けられる操作キーボードであり、図示の例ではそれぞれの右端が右側板に回動自在に組付けられる。
【０００３】
図５（ｂ）は表示器６の一点鎖線で囲った部分の拡大図、図５（ｃ）は操作キーボード７の一点鎖線で囲った部分の拡大図である。８ａは右側板に表示器６を取付けるためのヒンジブラケット、８ｂは右側板に操作キーボード７を取付けるためのヒンジブラケットである。
【０００４】
これらのヒンジブラケット８ａ，８ｂには所定間隔でコ字状に突出して設けられた支持部１１のそれぞれの端部に２つの軸孔１２ａを有している。なお、この軸孔１２ａの一方（図では下側）の径は後述する支軸の径より僅かに小さく形成されている。
【０００５】
これらのヒンジブラケット８ａ，８ｂはねじ１０により右側板４の所定の箇所に固定される。
９ａは表示器６を収納するケース、９ｂは操作キーボード７を収納するケースであり、一端に前記軸孔１２ａに対応する２つの回転孔１２ｂが形成されている。
そして、ヒンジブラケット８ａ，８ｂに形成された軸孔１２ａの内側にケース９ａ，９ｂに形成された回転孔１２ｂが直線状に配置される。なお、軸孔１２ａの一方（図では上側）および回転孔１２ｂ，１２ｂの孔径は後述する支軸の径より僅かに大きく形成されている。
【０００６】
１５は支軸であり、直線状に配置された上側の軸孔１２ａ、回転孔１２ｂ，１２ｂを上部から貫通して配置されるが、その先端が下側の軸孔１２ａに達した位置でこの孔に圧入されて固定される。上述の構成により表示器６及び操作キーボード７が支軸を中心として回動自在に支持される。
【０００７】
【発明が解決しようとする課題】
ところで、上述の構成の記録計本体は内器が板金構成のため、表示器６及び操作キーボード７を取付けるためのヒンジブラケット８ａ，８ｂを別部品化しなければならなかった。即ち、これらを一体成形すると形状が複雑化し、板金では加工性及び精度に問題があった。さらに支軸の強度も必要なため、軸材料として金属（ステンレス）を使用し、ヒンジブラケットとの締結にもコンパクトで強度的にも安定な圧入方式を採用する必要があった。
【０００８】
しかしながら、上述の構成では、下記の問題点があった。
１）表示器及び操作キーボードが複数のねじにより取り付けられているため、取付け取外しの作業性が悪い。
２）直接、記録計本体に表示器及び操作キーボードが取り付けられない。つまり、表示器及び操作キーボードを取り付けるためのヒンジブラケットを別部品とし、サブ部品化（圧入）して、それを介して右側板４に取り付ける構成となっている。その結果、部品点数、組立て工数が多くなる。
３）支軸の組付けあるいは取外し時に専用治工具を必要とする。
【０００９】
【課題を解決するための手段】
このような問題点を解決するために、請求項１においては、
少なくとも２つの部品のそれぞれに設けられた孔を貫通して設けられ、それらのうちの少なくとも一つの部品を回動自在に支持する支軸であって、
該支軸は一端にフランジ部、他端に軸と直角方向に伸縮するラッチ部を有しており、このラッチ部を前記孔の一方から差し込んで他方の孔から突き出したときに前記ラッチ部の径が前記孔の径より大となり前記フランジ部とラッチ部の間に少なくとも一つの部品を回動自在に係止する構成としたことを特徴とする。
【００１０】
請求項２においては、請求項１記載の支軸において、
前記ラッチ部は楕円状の弾性部材で構成され、短径側は前記孔の直径よりも小さく長径側は前記主孔の径よりも大きく形成されると共にすり割り溝が設けられたことを特徴とする。
【００１１】
請求項３においては、請求項１記載の支軸において、
支軸はブラスチック部材で構成され、フランジ部とラッチ部の間を金属パイプで被覆したことを特徴とする。
【００１２】
【発明の実施の形態】
以下、図面を用いて本発明を詳細に説明する。
図１（ａ，ｂ）は本発明の支軸の実施形態の一例を示す一部断面構成図であり、（ａ）図は正面図、（ｂ）図は平面図である。また、（ａ’）は（ａ）図のＺ視図、（ｂ’）は（ｂ）図のＺ視図、（ｃ）は（ｂ）図Ａ部の拡大図である。
【００１３】
これらの図において、３５は本発明の支軸であり、３０は支軸の一部を構成する棒状のプラスチック部材である。支軸の一端にはこの支軸が挿入される孔径よりも大きな外径Ｄを有するフランジ部３１が形成されている。３３は支軸の他端に設けられたラッチ部であり、このラッチ部３３は楕円状に形成されていて大径部にはすり割り３４が形成されている。なお、楕円の大径部と小径部との間には抜け防止のための段部ｂ（図ｃ参照）が形成されている。
【００１４】
３２はフランジ部３１とラッチ部３３の間のプラスチック部材を覆って形成された補強のための金属パイプで、この金属パイプの外径Ｌ１は支軸が挿入される孔径よりも僅かに小さく形成されている。ここで、ラッチ部の寸法について図１（ｃ）を参照して検討する。支軸が挿入される孔径より僅かに小さな直径をＬ１とし、ラッチ部の大径をＬ２、すり割りの幅をＬ３すると、段部ｂ（鍔）の幅Ｌ４は
Ｌ４＝（Ｌ２−φＬ１）／２となり、
Ｌ４＜Ｌ３／２となるようにすり割り底部のａを基点として、距離Ｌ５の段部ｂの位置で（Ｌ３／２）以上の変形をさせるようにし、充分なバネ特性（復帰力、許容応力等）をもたせればよい。
【００１５】
図２はこのような支軸３５を用いて、記録計の組立てを行うようにしたもので、図５と同一要素には同一符号を付している。ここでは、シャーシ１ａ、左右の側板および支持部１８（ヒンジブラケット）はプラスチック部材で一体に形成したものを使用する。なお、表示器６、操作キーボードは従来のものと同じで軸孔１２ａ、回転孔１２ｂも同様の大きさに形成されている。図３は図２のＡ部の拡大図、図４は図２のＢ部の拡大図である。
【００１６】
これらの図において、コ字状でかつ軸孔１２ａを有する支持部１８の内側に表示器６から延長された部分に回転孔１２ｂ，１２ｂが形成されたケース９ａ，９ｂを挿入し、孔の位置を合わせたところに支軸３５を挿入する。このとき、支軸３５のラッチ部の先端の大径部は軸孔１２ａや回転孔１２ｂの内壁に押し付けられてすり割部が撓みその内壁に沿って侵入する。
【００１７】
そして、段部ｂの撓みは上側の孔１２ａ，１２ｂを出たところで一旦解除されるが下側の軸孔１２ａを通過したところで解除される。その結果、支軸２５のフランジ部３１と段部ｂの間に表示器６及び操作キーボードの一端が回動自在に係止される。
【００１８】
本発明の以上の説明は、説明および例示を目的として特定の好適な実施例を示したに過ぎない。したがって本発明はその本質から逸脱せずに多くの変更、変形をなし得ることは当業者に明らかである。
【００１９】
例えば本発明では組付け対象を記録計としたが他の機器であってもよい。また回動自在に支持する対象は扉などでもよく、要は片方を回転軸として回動するものであればよい。また、支軸の材料は強度が問題にならないものでは金属パイプでの補強は不要である。
【００２０】
更に実施例では支持部（ブラケット）の間にケースの端部を表示器や操作キーボードを入れて回動させる構成としたが、外側を回動させるようにしてもよい。また、支軸により回動させる部品は２以上でもよい。
特許請求の範囲の欄の記載により定義される本発明の範囲は、その範囲内の変更、変形を包含するものとする。
【００２１】
【発明の効果】
以上述べたように、本発明によれば、少なくとも２つの部品のそれぞれに設けられた孔を貫通して設けられ、それらのうちの少なくとも一つの部品を回動自在に支持する支軸であって、
該支軸は一端にフランジ部、他端に軸と直角方向に伸縮するラッチ部を有しており、このラッチ部を前記孔の一方から差し込んで他方の孔から突き出したときに前記ラッチ部の径が前記孔の径より大となり前記フランジ部とラッチ部の間に少なくとも一つの部品を回動自在に係止する構成としたので、取付け取外しの作業性がよくなり、部品点数及び組立て工数を少なくすることができ、支軸の組付けあるいは取外し時の専用治工具も不要となる。
【００２２】
【図面の簡単な説明】
【図１】本発明の支軸の実施形態の一例を示す説明図である。
【図２】本発明の支軸を用いて組立てる記録計の例を示す説明図である。
【図３】図２の一部拡大図である。
【図４】図２の一部拡大図である。
【図５】従来の支軸と記録計の組立て状態を示す説明図である。
【符号の説明】
１，１ａ　　シャーシ
２，２ａ　　上板
３，３ａ　　左側板
４，４ａ　　右側板
５　　　　　ベース
６　　　　　表示器
７　　　　　操作キーボード
８ａ，８ｂ　ヒンジブラケット
９ａ，９ｂ　ケース
１０　　　　ねじ
１１　　　　支持部
１２ａ　　　軸孔
１２ｂ　　　回転孔
１５，３５　支軸
３０　　　　プラスチック部材
３１　　　　フランジ部
３２　　　　金属パイプ
３３　　　　ラッチ部
３４　　　　すり割
【図１】
2004060711.tif 000003
【図２】
2004060711.tif 000004
【図３】
2004060711.tif 000005
【図４】
2004060711.tif 000006
【図５】
2004060711.tif 000007